(57)【要約】（課題）車の駐車や停車時の重大事故を防ぐ為ハザード信号の作動を自動化したり又便利にして運転手の過労や個人差による重大事故を防止する。（解決手段）複数個のデジタルスイッチを運転席を始めそれ以外の任意の場所に設ける。【選択図】図１
2004331035.tif 000002
【特許請求の範囲】
【請求項１】
複数個のデジタルスイッチ（６）（７）（８）をそれぞれ並列に接続しデジタル信号をアナログ信号に変えるスイッチ（５）（９）を介して自動断続スイッチ（３）の制御回路（１０）（１１）と直列に接続し車外の信号灯（４）と自動断続スイッチ（３）の出力回路（１５）と直列に接続して車輌搭載の電源（２）と並列に接続した装置を具備して車輌の駐車停車時に引起す重大事故を防ぐ車。
【請求項２】
車外に取付けた非常信号灯（４）の作動や停止用操作スイッチを車輌運転席以外の場所にも車輌の種類や構造や使用目的に合わせて任意の数を取付けた車。
【発明の詳細な説明】
車を道路上で停車させたり駐車させたりする場合色々の交通事故を防ぐ事は従来から重要課題で色々の方法を用いて事故防止を計って来た。方向指示器の信号灯を全て同時点滅させる信号（以下ハザード信号と略称する）を作動させるのも従来からの事故防止の一方法であったし又色電灯の回転灯を作動させたり赤色三角の反射板を停止表示板として置いたり又白い布切れを車外にぶら下げたり人が車外に立って周囲に注意を呼びかけたりその場の状況に対応して色々と苦労して来た。しかし現在主流となっているのは駐停車時素早い対応が出来るハザード信号を適当な時に適当な時間状況に応じて作動させる方法が主流となっている。しかしこのハザード信号装置も最適な時に作動しなければ事故防止に効果は得られない。従来この重要な装置を作動させる電気スイッチは運転席の一箇所にしか設ける事が出来ず従来の車は運転席を離れるとハザード信号装置の作動も停止も出来なかった。当発明はこのハザード信号装置の作動停止を任意に出来るスイッチを車輌の種類や構造や使用目的に合わせて最適な任意の場所に任意に取り付ける事を可能にして従来確保出来なかった駐停車時の高い安全性を確保出来る様々な車を提供するものである。例えばバスやタクシー等の乗客の積降時に安全に対応出来る車又清掃車や道路上で作業する車等の特徴に合わせて安全に対応出来る車又車が道路上で故障した時に充分安全に対応出来る車等々安全の為車がハザード信号を必要とする場合が多々有するが全て簡単に対応出来非常に便利になったのでハザード信号を充分活用出来安全性の確保が非常に向上した。従来は信号が必要な場合でも作動させない場合が生じたり又一度作動させて下車した場合停止させる事が困るので始めから作動をさせない場合も生じたり様々なずぼら対応が生じる結果となっていた。そして道路上での重大事故防止が運転手の様々の性格によって又疲労度によって様々に変わる事になっていた。この事はハザード信号の作動状況がまちまちになり意味も不確実となり道路上での安全確保に問題が生じる事が多くあったし反面車の運転手はハザード信号を作動させる為に非常に神経を使用しなければならない事でもあった。当発明はハザード信号を車の状況に応じ最適にハザード信号を扱う事が苦労なしに扱う事が出来るようにし又必要に応じて自動的にハザード信号が作動する様に車を構成し車の駐車停車時の重大事故を極力減らす事を図ったものでバスやタクシーの乗降中又貨物自動車の集荷や配送中又郵便自動車の物流中又清掃車の作業中等々又これらの営業車輌は常に運転手が過労になる機会が多く運転手の過労から来る不注意事故も改善出来安全向上に絶大な効果のある事となる。以上の説明で明らかなごとく当発明は車輌の複数の任意の場所から複数の任意の電気スイッチでそれぞれお互いに干渉しない方法で信号灯を作動させたり停止させたり任意で出来るように構成する事で車輌の緊急停止時や駐車時等の安全確保を従来より一層簡単により確実に出来るようにしたものである。当発明の一実施例の一部を具体的に説明する為に当発明の自動車を構成する一実施例の一部を図示しその作用の一部を説明する。第１図は当発明の事を説明する電気的構成図の一部一実施例を示す。第２図は当発明の構成する電気スイッチの性格を説明する為の一部一実施例で第３図も当発明を構成する電気スイッチの性格を説明する為の一部一実施例である。第１図の作用の一部を具体的に説明すると図中（２）の符号は自動車搭載の蓄電池や発電装置等からなる各種電気装置を作動させる主電源で以下（電源と略称する）図中（３）の符号は従来より公知の自動断続電気スイッチで通電により自動断続を始める以下（ハザードスイッチと略称する。）図中（４）の符号は車外部から確認しやすい所に取付けた信号灯で以下（ハザードランプと略称する）図中（５）（９）はパルス信号でスイッチがオンになり次の電気パルス信号でスイッチがオフになる型式のデジタル信号をアナログ信号に変換する公知のスイッチで以下（ラチェットスイッチと略称する。）ラチェットスイッチ（５）はパルス信号入力端子が（１７）（１８）と分かれており片方がスイッチオン専用の入力端子で他方がスイッチオフ専用の入力端子となっている型式のラチェットスイッチである。ラチェットスイッチ（９）はパルス信号入力端子（２１）が一箇所になっていて１回目のパルス信号でスイッチがオンになり次の２回目のパルス信号でスイッチがオフになる形のラチェットスイッチである。スイッチ（８）は電気パルス発生用の押釦スイッチで呼鈴等に用いられる形式のスイッチ以下（パルススイッチと略称する）である。スイッチ（７）（６）も同じパルススイッチではあるがパルス発生方法が（８）の場合と違っている。（１０）は電気自動断続スイッチで従来より各種のものが公知としてある。（１１）は電磁リレースイッチの巻線部分で電磁リレースイッチ接点（１２）を断続させる。（１３）はハザードスイッチの制御回路入力端子である（１４）はスイッチ（３）の出力端子である。（１６）はラチェットリレー（５）の出力端子で（１９）（２０）はラチェットリレー（９）の信号出力端子（２１）ラチェットリレー（９）の信号入力端子で（１）の符号は電源の同一アース点を示す。図中（２）はラチェットリレー（９）の電源で各種適当なもので（８）は押釦スイッチで電気パルス発生用で（２１）はラチェットリレー（９）の信号入力端子で（２２）の符号は全て抵抗体を示す（１９）（２０）はラチェットリレー（９）の信号出力端子で押釦スイッチ（８）を１回押すたびにお互い逆の信号が出力される端子である。（２３）の符号はトランジスターを示す（２４）の符号は全てダイオードを示す（２５）の符号は全てコンデンサーを示す（１）の符号は全て車輌電源の同一アース点を示す。このスイッチは第１図のスイッチ（９）に活用した一実施例である。スイッチ構成は図示以外の電磁リレーを始め各種半導体等の集積回路部品を用いても構成出来る事はもちろんであるし機械的な部品を多用したラチェットリレーでも構成出来る。
第３図は当発明を活用した一実施例の電気スイッチの一部を図示したもので車が駐停車時乗降時に使用する扉開閉と連動する電気スイッチや荷物室の開閉に使用する扉と連動する電気スイッチ等々当然車の駐停車と深く関係ある各種スイッチ（２７）でパルススイッチ（７）を作動させてハザード信号を車の駐停車時自動的に作動させる事が出来る。又スイッチ（６）は方向指示器のレバースイッチ（２６）でパルス信号を発生させるパルススイッチで方向指示器の操作でパルスが発生し自動的にハザード信号が停止され車の流れに乗ってスタート出来る。以上の説明で明らかなようにこの装置はバスやタクシー貨物集配車等頻繁に駐停車を繰り返す車に運転手の疲労を軽減させて重大事故の発生防止に絶大な効果が生まれる。図中（２５）の符号はアナログ信号をデジタル信号に変えるスイッチングコンデンサーを示す。（２２）の符号は全て抵抗でそれぞれ適当な値を選ぶ（２４）の符号はダイオードを示し（２３）の符号はトランジスターを示す。（１６）はラチェットスイッチ（５）の信号出力端子で（１７）（１８）は信号入力端子で（２）はパルススイッチ（６）（７）とラチェットスイッチ（５）の電源を示す。（１）の符号は同一アース点を示す。このスイッチの構成も図示以外の電磁リレーを始め各種半導体の集積部品を用いて構成出来る事はもちろんである。当発明はこれら第２図のスイッチと第３図のスイッチを適当に組み合わせて採用する事により重大事故防止に非常に効果的で又非常に便利な事を提供する事が出来る。
【図面の簡単な説明】
図面は当発明を構成する車の一実施例の作用を説明する為に示した電気的説明図の一部である。
【図１】
2004331035.tif 000003
【図２】
2004331035.tif 000004
【図３】
2004331035.tif 000005
【手続補正書】
【提出日】平成15年7月24日(2003.7.24)
【手続補正１】
【補正対象書類名】明細書
【補正対象項目名】図面の簡単な説明
【補正方法】変更
【補正の内容】
【図面の簡単な説明】
【図１】図面は本発明の車輌の態様を説明する為車輌の電気装置の一部一実施例を示したものである。
【図２】図面は本発明の車輌の態様を説明する為に示したスイッチ類の一実施例の一部である。
【図３】図面は本発明の車輌の態様を説明する為に示した電気装置の一実施例の一部で普通の断続スイッチや普通の切替スイッチによるパルス信号発生装置の一実施例の一部とパルス信号により断続出来るスイッチの一実施例の一部を示す
【符号の説明】
１図
（１）は電源の同一アース点を示す。
（２）は電源を示す。
（３）は自動断続スイッチを示す。
（４）は車外に取付けた信号灯を示す。
（５）はパルス信号で断続する電気スイッチを示す。
（６）（７）は普通の断続するスイッチでパルス信号を発生させる装置を示す。
（８）は押釦スイッチを用いてパルス信号を発生させる装置を示す。
（９）はパルス入力信号で出力信号が切替わるスイッチを示す。
（１０）は自動断続スイッチを示す。
（１１）は電磁リレースイッチの巻線部を示す。
（１２）は電磁リレのスイッチ電気接点部を示す。
（１３）（１４）（１７）（１８）（２１）は電気装置の信号入力端子を示す
（１５）（１６）（１９）（２０）は電気装置の信号出力端子を示す。
〔２図〕
（１）は電気の同一アース点を示す。
（２）は電源を示す。
（８）はパルス信号を発生させる押釦スイッチを示す。
（９）はパルス信号で出力が切替わる切替えスイッチを示す。
（１９）（２０）は切替えスイッチの出力端子を示す。
（２１）は切替えスイッチの信号入力端子を示す。
（２２）の符号は抵抗器を示す。
（２３）の符号はトランジスターを示す。
〔３図〕
（１）は電気の同一アース点を示す。
（２）は電源を示す。
（５）はパルス信号で断続する電気スイッチを示す。
（６）は通常の電気切替えスイッチでパルス信号を発生させる電気装置を示す
（７）は通常の電気断続スイッチでパルス信号を発生させる電気装置を示す。
（１６）は信号出力端子を示す。
（１７）は出力信号切断用のパルス信号入力端子。
（１８）は出力信号送出用のパルス信号入力端子。
（２２）の符号は抵抗器を示す。
（２３）の符号はトランジスターを示す。
（２４）の符号は整流器を示す。
（２５）の符号はコンデンサーを示す。
（２６）の符号は切替えスイッチを示す。
（２７）の符号は断続スイッチを示す。